(57)【要約】 【課題】悪臭除去用構成及び悪臭排出手段などを腰掛便器本体の内部に一体に設置する構成として、見かけ上の美麗感と併せて施工上の作業性を便利にするという利点を付与し、また、従来の腰掛便器の内部構成を大きく変更しなくても製作することができるようにして、腰掛便器の製造費用を減らすことができる経済的な悪臭除去機能を有する水洗式腰掛便器を提供すること。【解決手段】用便洗浄水を貯蔵する貯水槽と、前記貯水槽と連通されるように形成されたボウル状の用便具と、前記用便具の上部周りに沿って形成され、前記貯水槽に形成される洗浄水排水孔を通じて前記貯水槽から供給される水を前記用便具の内部に噴射する複数の洗浄水噴射孔を有する用水路と、前記用便具の下部に開口されるように形成された排水トラップとで構成される腰掛便器本体と、前記腰掛便器本体の両側内部で用便具の両側部に沿って所定の長さの通路で形成され、前記用便具の下方に向かって延長されるように形成され、前記通路の上部開口は前記用水路に向かって開放され、前記洗浄水噴射孔と連通可能に連結され、一方、前記通路の下部開口は、前記腰掛便器本体の底部に露出されてトイレの床に設置された排気管と相互連通されるように接続される悪臭排出管路、前記悪臭排出管路の所定位置にそれぞれ設けられ、前記用便具で発生される悪臭を前記排気管を通じて排出することができる悪臭排出用ファン（Ｆａｎ）からなる悪臭排出装置とを含む悪臭除去機能を有する水洗式腰掛便器。【選択図】図１
2017504739.tif 000002
【特許請求の範囲】
【請求項１】
用便洗浄水を貯蔵する貯水槽（１１０）と、
前記貯水槽（１１０）と連通されるように形成されたボウル状の用便具（１２２）と、前記用便具の上部周りに沿って形成され、前記貯水槽に形成される洗浄水排水孔（１２５）を通じて前記貯水槽（１１０）から供給される水を前記用便具（１２２）の内部に噴射する複数の洗浄水噴射孔を有する用水路（１２６）と、前記用便具（１２２）の下部に開口されるように形成された排水トラップ（１２７）とで構成される腰掛便器本体（１２０）と、
前記腰掛便器本体（１２０）の両側内部で用便具の両側部に沿って所定の長さの通路で形成され、前記用便具（１２２）の下方に向かって延長されるように形成され、前記通路の上部開口は前記用水路（１２６）に向かって開放され、前記洗浄水噴射孔と連通可能に連結され、一方、前記通路の下部開口は、前記腰掛便器本体の底部に露出されてトイレの床に設置された排気管（１１６）と相互連通されるように接続される悪臭排出管路（１３２）、前記悪臭排出管路の所定位置にそれぞれ設けられ、前記用便具（１２２）で発生される悪臭を前記排気管を通じて排出することができる悪臭排出用ファン（Ｆａｎ）（１３６）からなる悪臭排出装置（１３０）とを含む悪臭除去機能を有する水洗式腰掛便器。
【請求項２】
前記悪臭排出管路（１３２）は、前記用水路（１２６）の内部に垂直に設置される少なくとも一対の垂直管部（１３２ａ）と、前記垂直管部（１３２ａ）から長く延長され、前記腰掛便器本体（１２０）の用便具（１２２）の両側内部に位置する水平管部（１３２ｂ）と、前記水平管部（１３２ｂ）を一つに合わせるようにして腰掛便器本体（１２０）の下方に延長して開口される単一管部（１３２ｃ）とからなることを特徴とする請求項１に記載の悪臭除去機能を有する水洗式腰掛便器。
【請求項３】
前記悪臭排出ファン（１３６）の駆動は、トイレの使用時に使用者が直接オンまたはオフされるように操作する駆動回路を有することを特徴とする請求項２に記載の悪臭除去機能を有する水洗式腰掛便器。
【請求項４】
前記悪臭排出用ファン（１３６）の駆動は、腰掛便器やトイレの所定位置に設置された熱または赤外線センサーを利用した使用者の感知の有無によって実行されることを特徴とする請求項１または３に記載の悪臭除去機能を有する水洗式腰掛便器。
【請求項５】
用便洗浄水を貯蔵する貯水槽と、
前記貯水槽と連通されるように形成されたボウル状の用便具、前記用便具の上部周りに沿って形成され、前記貯水槽に形成される洗浄水排水孔を通じて前記貯水槽から供給される水を前記用便具の内部に噴射する複数の洗浄水噴射孔を有する用水路と、前記用便具の下部に開口されるように形成された排水トラップ（２２７）で構成される腰掛便器本体と、
貯水槽と用便具を有し、床に設置される腰掛便器本体と、前記貯水槽の両側内壁に沿って所定形態に一体に形成される排気路（２３１−１）を含み、前記排気路の一端開口部は前記用便具の周囲に沿って形成される用水路と連通される形態で開口され、これに対し、他端開口部は前記用便具の下部壁部に沿って長く延長される形態で形成され、前記用便具の下部に設けられた空間部に開口された悪臭排出管部と、
トイレの床部によって閉鎖される前記空間部内に設置されて、トイレの床部に設置された悪臭排気管と連通されるように接続されることにより、前記用便具に用便する時に発生する悪臭を前記空間部に向かって開口した排気路を通じてそれぞれ吸引して前記悪臭排気管を通じて強制的に排気することができる悪臭排出用ファン（Ｆａｎ）モーターとを含むことを特徴とする悪臭除去機能を有する水洗式腰掛便器。
【請求項６】
前記悪臭排出管部は腰掛便器本体の成形時に腰掛便器の壁部に排気路を形成しながら一体に形成され、また、前記排気路は所定高さを有するように「∩」形に屈曲されるように形成されることを特徴とする請求項５に記載の悪臭除去機能を有する水洗式腰掛便器。
【発明の詳細な説明】
【技術分野】
【０００１】
本発明は、腰掛便器（或いは洋便器）の内部で使用者の用便によって発生されて、使用者はもちろん、その後の使用者にも不快感を与える悪臭（用便の臭いなど）を迅速に吸引して除去することができる悪臭除去機能を有する水洗式腰掛便器に関する。特に悪臭除去に用いる全ての悪臭排出構成と悪臭排出手段を外部では見えないように全ての悪臭排出構成を腰掛便器本体の内部に設置するコンパクト（Ｃｏｍｐａｃｔ）な内装型構成にして、設置を便利にしながらも、腰掛便器の従来の構造を大きく変更することなく製作することができ、製造費用も節減することができる経済的な悪臭除去機能を有する水洗式腰掛便器に関する。
【背景技術】
【０００２】
アパートやオフィスビルのような集合住宅、役所や企業が入っている大規模ビルのオフィス、学校、一般住宅などのトイレには水洗式腰掛便器が設置されていることは周知である。また、トイレには悪臭を除去するための目的でトイレの天井や壁には悪臭排出用ファンが設置されていることも周知である。
【０００３】
しかしながら、悪臭排出用ファンは、トイレの使用時に発生される一般的な臭いは排出することができるが、最もひどい悪臭つまり人が腰掛便器に用便をする時に発生する臭い、言い換えれば肛門から排出される用便が用便具の水に触れる瞬間、用便から空気中に悪臭が流出され、この悪臭は迅速且つ完全に除去する必要がある。どころが、現実には悪臭が完全に除去されなくて、たくさんの人が使用している公衆トイレの場合、悪臭による不快感がより悪化されるという問題がある。
【０００４】
このような問題点を解消するために、以下の特許文献に悪臭除去用洋便器が公開されている。上記悪臭除去用洋便器は、既設洋便器にも使用することができるという利点はあるが、悪臭除去用排出装置或いは悪臭排出管が洋便器の外部に露出される形態で設置された構成である。
【０００５】
このため、見かけ上の美麗感を損なう問題があるとともに、設置時にも、トイレの構造物である壁などに穴を開けたりネジなどを別途設置して排出用構成品を固定しなければならないなど設置作業が煩雑で不便な問題がある。
【０００６】
また、下記の文献における問題点を解消するために、洋便器に一体型構造の悪臭除去用洋便器があるが、これも従来の洋便器本体に構成物の悪臭除去手段を別途に設置したものであるため、洋便器の構造が複雑になるとともに、それによる製造費用の上昇要因となる問題を抱えている。
【０００７】
その故、腰掛便器の見掛けを損なうことなく内装型にしながらも、廉価に大量供給が可能な悪臭除去用腰掛便器が切実に要求されている。
【先行技術文献】
【特許文献】
【０００８】
【特許文献１】韓国特許公開第１９９４−００８４７０号
【特許文献２】韓国実用新案登録第２０−０３３４９１９号
【発明の概要】
【発明が解決しようとする課題】
【０００９】
本発明は上述した従来技術の問題点を補完し、多様な利点を提供するために発明されたもので、特に、悪臭除去用構成及び悪臭排出手段などを腰掛便器本体の内部に一体に設置する構成として、見かけ上の美麗感と併せて施工上の作業性を便利にするという利点を付与し、また、従来の腰掛便器の内部構成を大きく変更しなくても製作することができるようにして、腰掛便器の製造費用を減らすことができる経済的な悪臭除去機能を有する水洗式腰掛便器を提供することを目的とする。
【課題を解決するための手段】
【００１０】
上記目的は、本発明による悪臭除去機能を有する水洗式腰掛便器によって達成される。
【００１１】
本発明の態様によって提供される悪臭除去機能を有する水洗式腰掛便器は、用便洗浄水を貯蔵する貯水槽；上記貯水槽と連通されるように形成されたボウル（Ｂｏｗｌ）状の用便具と、上記用便具の上部周りに沿って形成されて、上記貯水槽から供給される水を用便具の内部に噴射する複数の洗浄水噴射孔を有する用水路と、上記用便具の下方に開口されるように形成された排水トラップとからなる腰掛便器本体；上記腰掛便器本体の両側内部で用便具の両側部に沿って所定長さの通路を形成し、用便具の下方に向かって延長されるように形成され、通路の上部開口は上記用水路１２６に向かって開放されるように形成するのに対し、通路の下部開口は、上記腰掛便器本体の床部に露出されるようにしてトイレの床に設置された排気管と相互連結されるように接続することができる悪臭排出管路と、上記悪臭排出管路の所定位置にそれぞれ設けられて、上記用便具で発生される悪臭を上記排気管を通じて排出することができる悪臭排出用ファン（Ｆａｎ）とからなる悪臭排出装置とを含むことができる。
【００１２】
他の実施例では、上記悪臭排出管路１３２は、上記用水路１２６の内部に垂直に設置される少なくとも一対の垂直管部１３２ａと、上記垂直管部１３２aから長く延長されて、上記腰掛便器本体１２０の用便具１２２の両側内部に位置される水平管部１３２ｂと、上記水平管部１３２ｂを一つに合わせれるようにして腰掛便器本体１２０の下方に延長して開口される単一管部１３２ｃとからなることを特徴とする悪臭除去機能を有する水洗式腰掛便器。
【００１３】
また、他の実施例において、上記悪臭排出ファンの駆動は、トイレの使用時に使用者が直接オンまたはオフされるように操作する駆動回路を構成することができる。
【００１４】
また他の実施例において、上記悪臭排出用ファンの駆動は、腰掛便器やトイレの所定位置に設置された熱または赤外線センサーを利用した使用者の感知有無によって動作される駆動回路を構成することができる。
【００１５】
本発明の一態様によって提供される悪臭除去機能を有する水洗式腰掛便器は、用便洗浄水を貯蔵する貯水槽；上記貯水槽と連通されるように形成されたボウル状の用便具、上記用便具の上部周りに沿って形成され、上記貯水槽から供給される水を用便具の内部に噴射する複数の洗浄水噴射孔を有する用水路と、上記用便具の下部に開口されるように形成された排水トラップとからなる腰掛便器本体；上記貯水槽の両側内壁に沿って所定形態の排気路を形成して、排気路の一端開口は上記用便具と連通される形態に開口されるのに対し、他端開口は上記用便具の下部壁部によって長く延長される形態に形成され、用便具の下部に設けられた空間部に開口された悪臭排出管；トイレの床部によって閉鎖される上記空間部内に設置されて、トイレの床に設置された悪臭排気管と連通されるように接続されることにより、上記用便具で用便をする時に発生する悪臭を上記空間部に向かってそれぞれ開口された排気路を通じて吸引して上記悪臭排気管路を通じて強制的に排気することができる悪臭排出用ファン（Ｆａｎ）モーターとを含むことができる。
【００１６】
一実施例において、上記悪臭排出管部は腰掛便器本体の成形時に排気路を形成しながら便器の壁部に一体に形成され、また、上記排気路には、所定高さをなすように「∩」形に屈曲されるように形成されることを特徴とする。
【発明の効果】
【００１７】
上述した構成を有する本発明の悪臭除去機能を有する水洗式腰掛便器によれば、悪臭除去に関する全ての構成を腰掛便器本体の内部に設置して、腰掛便器の設置を便利にしながらも、腰掛便器の見掛けに対する美麗なデザインを損なわないという効果を奏する。
【００１８】
また、従来の腰掛便器本体を悪臭除去構成に活用することができるようにするコンパクトな構造により腰掛便器を廉価で製作することができるという効果を奏する。
【図面の簡単な説明】
【００１９】
【図１】本発明に係る悪臭除去機能を有する水洗式腰掛便器の外観の一例を示した斜視図である。
【図２】本発明に係る悪臭除去機能を有する水洗式便器をトイレに設置した例を示した側断面図であある。
【図３】図２のＩ−Ｉ線方向に沿って示した平断面図である。
【図４】図３のII−II線方向に沿って一部を省略して示した部分拡大断面図である。
【図５】本発明に係る悪臭除去機能を有する水洗式腰掛便器に内装された悪臭排出管路のみを分離して概略的に示した斜視図である。
【図６】本発明に係る悪臭除去機能を有する水洗式腰掛便器の他の一例を示した斜視図である。
【図７】図６のＩ−Ｉ線方向に沿った縦断面図である。
【図８】図７のII−II線方向に沿った平断面図である。
【図９】図７のIII−III線方向に沿った平断面図である。
【発明を実施するための形態】
【００２０】
以下、添付された図面を参照して本発明に係る悪臭除去機能を有する水洗式腰掛便器のより好ましい実施例を詳しく説明する。
【００２１】
図１は本発明に係る悪臭除去機能を有する水洗式腰掛便器の外観の一例を示した斜視図である。
【００２２】
図１のように、本発明に係る悪臭除去機能を有する水洗式腰掛便器１００は、用便洗浄水を貯蔵する貯水槽１１０を備えている。また、貯水槽１１０は、その貯水槽１１０の底部に図２に示すバルブＶによって開閉可能に設置した用便洗浄水排水孔１１４とボウル（Ｂｏｗｌ）状の用便具１２２と相互連通される構造で形成されている。
【００２３】
また、用便具１２２は、トイレの底部に支持されるように設置される座台１２４と一体に形成されて、腰掛便器本体１２０を成している。上記貯水槽１１０と用便具１２２との連通は貯水槽１１０の下方から用便具１２２の上部全周にかけて設置された後述する用水路１２６（図２及び図３を参照）によって達成され、この用水路１２６は、上記貯水槽１１０の洗浄水排水孔１１４と連通されるように設置されて、貯水槽１１０の排水孔１１４の開放時に排水される用便洗浄水が上記用便具１２２の上部全周にかけて形成された上記用水路１２６を通じて迅速に流動されるようにし、用水路１２６を通じて流動される洗浄水が用便具１２２の内部に開放されるように形成された後述する洗浄水噴射孔１２５（図２を参照）を通じて用便具１２２の内部に排水させることにより、用便具１２２に溜まっていた使用者の用便がきれいに洗浄される。
【００２４】
上記図面で図面符号１１２は、貯水槽１１０の床に設置された洗浄水排水孔１１４を開放または閉鎖するようにバルブＶを操作するバルブハンドルを示す。水洗式腰掛便器の上記に記載された構成は、従来の腰掛便器と大きく変わらない構成である。
【００２５】
図２は、本発明に係る悪臭除去機能を有する水洗式便器をトイレに設置した例を示した側断面図であり、図３は図２のＩ−Ｉ線方向に沿って示した平断面図であり、図４は図３のII−II線方向に沿って一部を省略して示した部分拡大断面図であり、図５は本発明に係る悪臭除去機能を有する水洗式腰掛便器に内装された悪臭排出管路のみを分離して概略的に示す斜視図である。
【００２６】
図２〜５に示すように、腰掛便器本体１２０の内部には、本発明の特徴技術である悪臭排出装置１３０がその腰掛便器本体１２０と一体化されるように設置されている（図１参照）。悪臭排出装置１３０は、腰掛便器本体１２０の用便具１２２の周囲に沿って間隔を隔てて設置された複数の用便洗浄水噴射孔１２５を含んで構成されることができる。
【００２７】
即ち、腰掛便器本体１２０の内部に設置される悪臭排出装置１３０の構成を大別すると、図５に示す悪臭排出管路１３２と、図２に示す悪臭排出用ファン（Ｆａｎ）１３６とで構成されている。
【００２８】
上記悪臭排出管路１３２は、図２〜図５に示すように、上記腰掛便器本体１２０の上部両側内部で用水路１２６に垂直に設置される少なくとも一対の垂直管部１３２ａと、この垂直管部１３２ａから長く延長されて上記腰掛便器本体１２０の用便具１２２の周りを経由する形態で用便具１２２の両側内部に配置されるように設置される長い水平管部１３２ｂと、水平管部１３２ｂを一つに合わせれるようにして腰掛便器本体１２０の下方に延長されて外部に露出される単一管部１３２ｃとで構成され、上記単一管部１３２ｃは、トイレの床に既設置された排気管１１６と相互連通するようにするためにカプラなどの別途の接続具を使用して気密に接続することができる。また、単一管部１３２ｃと相互連通されるように接続される排気管１１６には、上記悪臭排出用ファン１３６を設置して用便具１２２に蓄積される用便から発生される悪臭を強制的に吸引して排気管１１６を通じて外部に速やかに排出させることができる。
【００２９】
上記のように構成された悪臭排出管路１３２は腰掛便器本体１２０を製作する金型に一緒に設置して腰掛便器本体１２０を製作する時から腰掛便器本体１２０の内部に一体に上記悪臭排出管路１３２が設置されるようにすることができ、または悪臭排出管路１３２を腰掛便器本体１２０とは別途の構成物で形成して腰掛便器本体１２０を製作する時内部に設置される形態で製作することもできる。
【００３０】
上記用水路１２６は、図２、図３及び図４に示すように、貯水槽１１０の直下から上記用便具１２２の上方全周にかけて形成されて、上記用便具１２２の上方に設置された用便洗浄水噴射孔１２５と連通されているので、垂直管部１３２ａを通じて上記用水路１２６に開口されるように設置された上記悪臭排出装置１３０または上記用水路１２６を通じて上記用便洗浄水噴射孔１２５と連通される状態を成す。用水路１２６は貯水槽１１０の排水孔１１４が閉鎖される普段は洗浄用水が流れなくなって、中空（Ｈｏｌｌｏｗ）管路状態を成し、悪臭排出管路１３２、用水路１２６及び用便洗浄水噴射孔１２５は相互連通される１つの通路を成すようになる。
【００３１】
従って、使用者が用便具１２２に用便をする過程で、用便具１２２に蓄積される用便から発生される悪臭は用便具１２２と連通されるように形成された複数の洗浄水噴射孔１２５→用水路１２６→悪臭排出管路１３２の各管部１３２ａ、１３２ｂ、１３２ｃを通じて悪臭排出用ファンモータ１３６の駆動により強制的に排出させることができる。悪臭の程度は人によって差があるが、用便からは基本的に悪臭が発生して不快感を与えるので、トイレの内部のフレッシュを保持するためには、悪臭を速やかに排気して除去する必要がある。
【００３２】
このような理由から、悪臭排出管路１３２の単一管部１３２ｃや排気管１１６の内部には悪臭排出用ファンモータ１３６を設置して、悪臭排出用ファンモータ１３６の駆動有無に応じて用便具１２２から発生される悪臭がトイレの室内に広がる前に強制的に迅速に吸引して排気することができるようにしたものである。このような悪臭排気作用により用便を直接人はもちろん、用便をした後のトイレの内部に悪臭が残らないようにする。悪臭の排気量は悪臭排出用ファンモータ１３６の容量によって決められるが、排気量はトイレの大きさによっていくらでも任意に調節することができ、可能であれば排気容量が大きいながらも騒音が小さいものを使用することが好ましい。
【００３３】
上記悪臭排出用ファンモータ１３６の駆動はトイレの使用時に使用者が直接オンまたはオフに操作することができる電源回路を構成することができ、また、腰掛便器またはトイレの所定位置に設置された熱や赤外線センサーを利用した使用者の感知有無によって駆動されるようにする回路を構成することができる。
【００３４】
一方、用便後、バルブ操作ハンドル１１２を操作すれば、それまで閉鎖されていた排水孔１１４の開放で貯水槽１１０から開放された排水孔１１４を通じて排水孔１１４と連通される用水路１２６を経由した後、洗浄用水噴射孔１２５を通じて用便具１２２の内部に噴射されて、用便具１２２の内部に溜まっていた用便を排水トラップ１２７を経由してトイレの床に既設置された汚水管１２９を通じて排出することができる。
【００３５】
このような過程、即ち貯水槽１１０に貯蔵された水が排水孔１１４を通じて一時的に用水路１２６側に排水されて洗浄水噴射孔１２５側に噴射されても用水路１２６に設置された悪臭排出管路１３２の内部に洗浄用水が流入されることはない。
【００３６】
その理由は、悪臭排出管路１３２で用水路１２６の内部に垂直に立設される垂直管部１３２ａが用水路１２６に流入される洗浄用水の水位より高く設置されて、内部に洗浄用水の流入がないようにしたからである。また、用水路１２６の内部に垂直に立設される垂直管部１３２ａの直径は略２０ｍｍ以下であるので、用水路１２６に流入される洗浄用水の流れに全く影響を与えない。
【００３７】
図６〜図９は本発明に係る悪臭除去機能を有する水洗式腰掛便器の他の実施例を示した図であり、上記図１〜図５に示す実施例とは、悪臭を排気するために提供される悪臭排出装置２３０を全部腰掛便器本体２２０の内部に設置されるようにした構成と、悪臭排出管部２３１を腰掛便器本体の壁部に沿ってその壁部と一体に形成した構成とで差があるだけで、その他の悪臭排出作用は、上記実施例と同様である。
【００３８】
図６及び図７に示すように、本実施例の腰掛便器２００は、貯水槽１１０と用便具２２２とを有し、トイレの床部Ｇに設置される腰掛便器本体２２０の内部に悪臭排出装置２３０を備えている。上記悪臭排出装置２３０は、悪臭排出管部２３１と悪臭排出用ファン（Ｆａｎ）モーターＭとで構成されている。
【００３９】
まず、悪臭排出管部２３１の構成を見れば、図６及び図７に示すように、貯水槽２１０の両側内壁に沿って用水路２２６よりも高い位置に約「∩」形の排気路２３１−１を形成し、排気路２３１−１の一端開口部２３１−２は用水路２２６と連通されるようにし、一方、排気路２３１−１の他端開口部２３１−３は腰掛便器本体２２０下部の両側内壁部２２１を沿って長く延長されて用便具２２２の下部に設けられた空間部２３７の内部に開放されるようにした。この空間部２３７の内部に上記悪臭排出用ファン（Ｆａｎ）モーターＭが設置される。従って、用便具２２２で用便する時に発生される用便悪臭は洗浄用水の流入なしに用便具２２２の洗浄水噴射孔２２５及び用水路２２６を通じた後、これと連通される悪臭排出管部２３１の内部に流動されるようにすることができ、悪臭排気管部２３１を通じた悪臭の吸引は上記悪臭排出用ファン（Ｆａｎ）モーターＭによってより強制的に迅速に行うことができる。
【００４０】
用便は排水トラップ２２７及び汚水管２２９を通じて排出される。
【００４１】
上記悪臭排出用ファン（Ｆａｎ）モーターＭは、用便具２２２の下部に設けられた空間部２３７の内部に設置され、下部のみが開放された空間部２３７の内部に設置される悪臭排出用ファン（Ｆａｎ）モーターＭは、腰掛便器本体２２０の座台２２４の底部がトイレの床部Ｇと対向するように設置されると（図７参照）、悪臭排出用ファン（Ｆａｎ）モーターＭが設置された空間部２３７は外部と遮断される四方が気密に閉鎖される状態になる。外部と遮断される空間部２３７内に既設される悪臭排出用ファン（Ｆａｎ）モーターＭは、トイレの床部Ｇの下に設置される悪臭排気管２３２と連通されるように接続されて、空間部２３７の内部に流入される悪臭は悪臭排出用ファン（Ｆａｎ）モーターＭの吸入動作によって悪臭排出管部２３１を通じて速やかに排出されることができる。
【００４２】
上記悪臭排出管部２３１を「∩」形に屈曲されるように形成した理由は、排出管路を長く形成して吸引モータＭから用水路２２６に対して作用される吸引圧力を緩和させるためである。
【００４３】
上記実施例で例示した水洗式腰掛便器は本発明を具現するための一例であり、他の種類の水洗式腰掛便器にも適用することができる。また、貯水槽１１０、２１０の内部に設置されて排水孔１１４、２１４を開閉するバルブの操作に対する詳細図面及びこれに対する説明は、通常の一般的な構成であるため省略した。
【００４４】
以上で、本発明を具体的な実施例を通じて説明したが、本発明が属する技術分野において通常の智識を有するものであれば、本明細書で説明されたいくつかの特徴を参照して組み合わせて多様な変形して構成することができる。従って、本発明の範囲は説明された実施例に限定されるのではなく、添付された特許請求範囲によって解釈されるべきである。
【符号の説明】
【００４５】
１００、２００：水洗式腰掛便器
１１０、２１０：貯水槽
１１４、２１４：洗浄水排水孔
１２０、２２０：腰掛便器本体
１２５、２２５：洗浄水噴射孔
１２６、２２６：用水路
１３０、２３０：悪臭排出装置
１３２、２３２：悪臭排出管路
１３６、Ｍ：悪臭排出用ファンモーター
【図１】
2017504739.tif 000003
【図２】
2017504739.tif 000004
【図３】
2017504739.tif 000005
【図４】
2017504739.tif 000006
【図５】
2017504739.tif 000007
【図６】
2017504739.tif 000008
【図７】
2017504739.tif 000009
【図８】
2017504739.tif 000010
【図９】
2017504739.tif 000011
【国際調査報告】
2017504739.tif 000012
2017504739.tif 000013